(57)【要約】【課題】外部装置として電子機器が接続されるバッテリー装置において、電源供給源を二重化すると共に、バッテリーからの電力の供給を抑制し、電力供給が受けられない時間が長時間に及んだ場合でも、バッテリー装置に充電された電力を確保する。【解決手段】バッテリー装置１００は、外部電源たる商用電源５００を接続する為の２つのコネクタ１０１及び１０２、タイマー１１４、商用電圧監視回路１１２、バッテリー電圧監視回路１１３、内部ＡＣ／ＤＣコンバータ１１０、強制スイッチ１１８、制御回路１１５、バッテリーリレースイッチ１１６、外部スイッチリレー１１７を備え、商用電圧監視回路１１２で商用電源５００からの電力供給を監視し、電力の供給状況に応じて、バッテリーリレースイッチ１１６を切り替えてバッテリー部１１１からの電力の供給を行い、タイマー１１４及び外部スイッチリレー１１７の状況に応じて、バッテリーリレースイッチ１１６を切り替えてバッテリー部１１１からの電力供給を停止する。【選択図】図１
2010193540.tif 000002
【特許請求の範囲】
【請求項１】
商用電源からの電力供給を受けて外部装置に電力を供給するバッテリー装置であって、
前記商用電源から供給される電力を蓄えるバッテリー部と、
前記商用電源から供給される電力の電圧を監視する第商用電圧監視回路と、
前記商用電圧監視回路で商用電源からの電力供給が停止したことを検知した場合、前記バッテリー部に蓄電されている電力を外部装置に供給するように切り替える切替回路と、
所定の時間経過を指定するタイマー回路と、
前記商用電源監視回路で、商用電源からの電力供給が停止したことを検知した場合に、前記タイマー回路で指定された時間が経過したときには、前記バッテリー部からの電力供給を停止するタイマー制御回路と、
前記タイマー制御回路で前記バッテリー部からの電力供給が停止した後であっても、強制スイッチを操作することで前記バッテリー部から電力供給をさせる強制スイッチ部と、を備えることを特徴とするバッテリー装置。
【請求項２】
請求項１記載のバッテリー装置において、
前記バッテリー部の電圧を監視測定するバッテリー電圧監視回路と、
外部装置で使用される電力を測定し、前記バッテリー電圧監視回路で監視測定されたバッテリー電圧に基づいて、電力供給可能な時間を計測する制御回路と、
前記タイマー回路で指定された所定の時間と前記制御回路で計測された時間が一致したときには、前記バッテリー部からの電力供給を停止する第２のタイマー制御回路と、
を備えたことを特徴とするバッテリー装置。
【発明の詳細な説明】
【技術分野】
【０００１】
本発明は、通常の商用電源の電源供給を必要とする装置で利用されるバッテリー装置に係る技術であり、バッテリー装置の充電、放電の制御を行うことで、バッテリー装置の電力を残すことを可能とし、停電などで商用電源の電力供給がうけられない場合でも、緊急時などに外部装置として接続された機器に必要な電源の確保を確実に行うものである。
【背景技術】
【０００２】
装置へ電源を供給する際に、コンセントなどからの大元の商用電源が停電等で電源供給ができない場合、充電しておいたバッテリーを利用して装置への電源を供給するシステム、例えば、特許文献１のような無停電電源装置（ＵＰＳ）は一般的に用いられており、サーバ等のコンピュータシステムに適用し、瞬電等においてハードディスク等のインフラに障害が生じることを防止している。
【０００３】
また、例えば特許文献２のように、携帯型パーソナルコンピュータ（ノートＰＣ）で、装置の消費電力を低減させるイベントが発生したときに、消費電力を抑制しつつ、消費電力を小さく抑える制御を提供する技術が開示されている。更に、携帯型パーソナルコンピュータ（ノートＰＣ）で利用されているように、電源の供給が停止した場合でも特定の時間はバッテリーから電源を供給して、装置の動作環境を保障する技術は広く知られている。
【０００４】
上記した電源装置は、何れもコンセント等の外部電源からの電源供給が停止したときに、バッテリーに充電していた電力を装置に供給して、装置の動作を確保するものであり、通常、装置の電源が入っている場合には、バッテリーに蓄電された全ての電力を供給するまで電源供給を続けるものである。よって、バッテリーの容量と接続されている装置の電力消費量で、動作可能な時間が決まってくる。
【０００５】
そのほか、ＵＰＳの場合には、電力供給が不可能となる前に、ＵＰＳに接続されている装置（例えばサーバ等）に対して、電源供給ができないことを通知して、通知を受けたサーバが電源ＯＦＦを実行して、ＵＰＳに接続されている装置の電源ＯＦＦを実行させる。また、ノートＰＣ等の場合には、コンセントからの電源供給が停止した場合に、特定の時間でノートＰＣの電源をＯＦＦさせるバッテリー制御を行う技術等も知られている。
【０００６】
また、特許文献３のように、二次電池の残量を残すことで、無停電電源装置の動作停止時に、二次電池の状態（電池電圧や残容量等）を示す情報を、ＥＥＰＲＯＭやフラッシュメモリ等の不揮発性記憶装置を用いて保存して、無停電電源装置が長期間に亘って起動しなかった場合でも、二次電池に蓄えられた電力エネルギーの無駄な消費を抑えながら、再度外部電源入力が加えられた際に、二次電池に対する充電制御を円滑に再開する技術が知られている。
【先行技術文献】
【特許文献】
【０００７】
【特許文献１】特開昭６３−２１７９３１号公報
【特許文献２】特開２００７−２９９３４６号公報
【特許文献３】特開２００５−５１９３５号公報
【発明の概要】
【発明が解決しようとする課題】
【０００８】
しかしながら上記特許文献１又は２の構成では、ＵＰＳの場合、停電等コンセントからの電源供給が停止したときに、バッテリーからの電源供給を続ける為、特定の時間で全ての電力を使い切ってしまう。全ての電力を使い切ってしまった場合、コンセントからの電源供給が再開されるまで、ＵＰＳに接続された装置を利用することはできなくなる。
【０００９】
また、ノート型ＰＣで利用されるバッテリー制御は、あくまでノート型ＰＣで制御しており、実際のバッテリーは所謂単なる電池の様な存在であり、コンセントからの電源供給が停止した場合でも、ノート型ＰＣの利用はできるが、それ以外については考慮されておらず、汎用性がない。
【００１０】
また、特許文献３に記載の構成えは、バッテリー残量がある場合でも、電源装置に接続された外部装置に対して電力を供給することが出来ず、災害等が発生し長時間電力の供給が受けられない場合には、外部装置の利用ができない。
【００１１】
更に、上述した特許文献１〜３の何れの構成においても、ＵＰＳ等の無停電電源装置は、蓄電された電力の供給は全て使い切る、若しくは、再度外部電源入力が加えられた場合に、バッテリーに対する充電制御を円滑に再会するための電力を残しておく技術であり、バッテリー残量の使用用途を利用者が決定できるものではなく、利用者に不利益である。
【００１２】
また、ノート型ＰＣで利用されるバッテリー制御は、自装置への電力供給のみに限定し使用可能な技術であり、他の装置への適用はできない。
【００１３】
本発明は、上記事情に鑑みてなされたものであり、バッテリー装置側で、電源供給の動作を制御することで、バッテリー装置の電力が一定容量以下になる前に、電力供給を停止し、バッテリー装置の電力残量を残すことが可能であり、且つ、利用者の使用用途によりバッテリー装置に残っている電力を利用可能な汎用性の高いバッテリー装置を提供することにある。
【課題を解決するための手段】
【００１４】
上記の課題を解決するために、本願発明は、商用電源からの電力供給を受けて外部装置に電力を供給するバッテリー装置であって、前記商用電源から供給される電力を蓄えるバッテリー部と、前記商用電源から供給される電力の電圧を監視する第商用電圧監視回路と、前記商用電圧監視回路で商用電源からの電力供給が停止したことを検知した場合、前記バッテリー部に蓄電されている電力を外部装置に供給するように切り替える切替回路と、所定の時間経過を指定するタイマー回路と、前記商用電源監視回路で、商用電源からの電力供給が停止したことを検知した場合に、前記タイマー回路で指定された時間が経過したときには、前記バッテリー部からの電力供給を停止するタイマー制御回路と、前記タイマー制御回路で前記バッテリー部からの電力供給が停止した後であっても、強制スイッチを操作することで前記バッテリー部から電力供給をさせる強制スイッチ部と、を備えることを特徴とする。
【００１５】
また、請求項１記載のバッテリー装置において、前記バッテリー部の電圧を監視測定するバッテリー電圧監視回路と、外部装置で使用される電力を測定し、前記バッテリー電圧監視回路で監視測定されたバッテリー電圧に基づいて、電力供給可能な時間を計測する制御回路と、前記タイマー回路で指定された所定の時間と前記制御回路で計測された時間が一致したときには、前記バッテリー部からの電力供給を停止する第２のタイマー制御回路と、を備えたことを特徴とする。
【発明の効果】
【００１６】
このように構成されたバッテリー装置によれば、商用電源からバッテリー装置へ電力供給が停止した場合に、所定の時間でバッテリー部からの電力供給を停止するので、バッテリー装置に蓄電された電力を全て使い切ることがなく、接続された外部装置を利用したいときに、利用者が強制スイッチを操作することで蓄電されている電力の供給を開始することができる。
【００１７】
例えば、外部装置として接続される機器が、緊急用通信装置の場合には、電源供給が停止し所定時間経過後に、強制スイッチをＯＮ操作したときのみ緊急用通信装置が利用できるようになり、特に災害発生直後などの連絡が取りづらい状況を避けて緊急用通信装置を利用することができる。
【００１８】
また、このように構成されたバッテリー装置によれば、商用電源からバッテリー装置への電力供給が停止した場合に、バッテリー部の電力残量を計測し、所定時間分の電力を残した状態で電力供給を停止するので、外部装置として接続される機器の利用者側で、必要な時間を任意に決定して利用することができる。
【００１９】
例えば、外部装置として接続される機器が、家庭用エレベータなどの場合、停電などで電力供給が長時間停止している場合に、上層階に身障者などがいる場合でも、１０分乃至１５分程度のバッテリー残量を残しておくことで、強制スイッチをＯＮ操作し、家庭用エレベータを動作させることで、安全に階下に移動を行うことができる。
【００２０】
また、このように構成されたバッテリー装置によれば、バッテリー装置への給電を外部ＡＣ／ＤＣコンバータを用いた入力と、直接電源に接続し内部ＡＣ／ＤＣコンバータを用いた入力との２系統から電源給電を受けることができるので、バッテリー装置に接続される外部装置の電源の二重化が容易にできるようになる。
【図面の簡単な説明】
【００２１】
【図１】図１は、本発明のバッテリー装置を示すブロック図である。
【図２】図２は、本発明のバッテリー装置内のバッテリーリレー及び外部スイッチ用リレーの動作条件を示す説明図である。
【図３】図３は、本発明の本バッテリー装置を用いたシステム接続図である。
【図４】図４は、本発明の商用電源断時の動作タイミングを示す図である。
【図５】図５は、本発明の商用電源断時の動作タイミングを示す図である。
【発明を実施するための形態】
【００２２】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２３】
図１〜図５は本発明の実施例を示す。図１は本実施例におけるバッテリー装置のブロック図である。図２は、バッテリー装置の状況によって切り替わるバッテリーリレー及び外部スイッチ用リレーの状態を示す説明図である。図３は本実施例におけるバッテリー装置を用いたシステムの利用形態を示す説明図である。図４はバッテリー装置のタイマー作動時の動作タイミングを示す説明図である。図５はバッテリー装置の電源供給スイッチをオンにした場合の動作タイミングを示す説明図である。
【００２４】
図１において、１００はバッテリー装置であり、商用ＡＣ電源５００に接続するための第１の外部電源接続手段たるコネクタ１０１、及び第２の外部電源接続手段たるコネクタ１０２、及び接続された電子機器等に電力を供給する外部装置接続手段たるコネクタ１０３を備える。
【００２５】
通常、商用ＡＣ電源５００から電源供給を受けている場合には、外部ＡＣ／ＤＣコンバータ４００からコネクタ１０２又はコネクタ１０３を介し、更に逆流防止ダイオード１１９を介して電源供給を受け、コネクタ１０３を介して外部装置２００への電源供給を可能としている。
【００２６】
また、商用電圧監視回路１１２で、商用ＡＣ電源５００からの電源供給を認識すると、制御回路１１５に対し電源供給中であること、即ち通常の電源供給状態であるため、制御回路１１５はバッテリーリレー１１６と外部スイッチ用リレー１１７をＯＦＦ状態とする。この状態で、商用ＡＣ電源５００、内部ＡＣ／ＤＣコンバータ、逆流防止ダイオード１１９を介して、蓄電手段であるバッテリー１１１部に対する充電（蓄電）を行う。
【００２７】
次に、外部ＡＣ／ＤＣコンバータ４００が故障した場合の動作を説明する。商用電圧監視回路１１２が外部ＡＣ／ＤＣコンバータ４００側の電圧の検出が出来なくなり、内部ＡＣ／ＤＣコンバータ１１０側の電圧のみ検出した場合、制御回路１１５がその情報を認識すると、バッテリーリレー１１６をＯＮ状態とし、内部ＡＣ／ＤＣコンバータ１１０から逆流防止ダイオード１１９を介して、外部装置２００への電源供給とバッテリー部１１１への充電を行う。このときに、外部ＡＣ／ＤＣコンバータ４００が故障していることを外部に認識させるために、バッテリー装置１００に故障を示すランプを設け、ランプ情報（図示せず。）などを用いてアラーム表示するようにしても良い。
【００２８】
次に、商用ＡＣ電源５００からの給電が停止した場合の動作を説明する。商用ＡＣ電源５００からの給電が停止した場合、商用電圧監視回路１１２から、外部ＡＣ／ＤＣコンバータ４００側と内部ＡＣ／ＤＣコンバータ１１０側両方の電圧が停止したことを制御回路１１５が認識すると、バッテリーリレー１１６をＯＮ状態とし、バッテリー部１１１から外部装置２００への電源供給を開始する。
【００２９】
また、制御回路１１５は、タイマー１１４のタイマー監視の起動を行い、更に、第２の電圧監視手段たるバッテリー電圧監視回路１１３を起動してバッテリー部１１１の電圧監視を行う。このときのタイマー値は、固定的なタイマー値であっても良いが、バッテリー装置１００に接続される外部装置２００の種類によって、動作に必要な時間が異なるので、例えばノズル式のスイッチを備え、１目盛毎にタイマー１１４の起動時間を設定できるようにしても良い。
【００３０】
また、バッテリー装置１００にメモリを備え、動作条件として設定できるようにしても良い。バッテリー部１１１の電圧監視についても同様に、バッテリー部１１１は年月が経過すると十分な充電が出来なくなるので、例えば、監視する電圧の値を時間の経過と共に増加させるような設定に可変で設定できることが望ましい。
【００３１】
制御回路１１５は、バッテリー部１１１からの電源供給が長時間に及び、タイマー１１４からタイマー満了となったことを認識した場合、もしくは、バッテリー電圧監視回路１１３でバッテリー部１１１の電圧が所定の電圧より低くなったと認識したときには、バッテリー部１１１からの電源供給を停止するために、バッテリーリレー１１６をＯＦＦ状態として電源の供給を停止する。
【００３２】
強制スイッチ１１８は、タイマー１１４及びバッテリー電圧監視回路１１５での監視によるバッテリーリレー１１６のＯＮ状態からＯＦＦ状態への切り替えを停止するためのスイッチである。通常時、強制スイッチ１１８はＯＦＦ状態となっており、強制スイッチ１１８がＯＮ状態となっていることを制御回路１１５が認識すると、タイマー１１４からタイマー満了となったことを認識した場合、もしくは、バッテリー電圧監視回路１１３でバッテリー部１１１の電圧が所定の電圧より低くなったと認識した場合でも、バッテリーリレー１１６のＯＮ状態を継続する。
【００３３】
このように、強制スイッチ１１８をＯＮ状態とすることで、商用ＡＣ電源５００からの給電が停止したときに、バッテリー部１１１に蓄積された電力の残量全てを使い切る運用にすることも可能である。
【００３４】
次に、バッテリー部１１１に蓄積された電力に残量がある場合に、外部スイッチ３００が操作された場合について説明する。外部スイッチ３００は、商用ＡＣ電源からの電源供給が断たれ、更にバッテリー部１１１が給電を停止している状態に、バッテリー部１１１部からの給電を再開するためのスイッチである。
【００３５】
外部スイッチ３００がＯＮ状態となると、外部スイッチ用リレー１１７がＯＦＦ状態からＯＮ状態となる。制御回路１１５が、外部スイッチ用リレー１１７がＯＮ状態となったことを認識すると、制御回路１１５は、ＯＦＦ状態となっているバッテリーリレー１１６を再度ＯＮ状態とし、バッテリー部１１１からの電力で外部装置２００への給電を再開する。
【００３６】
このように構成することで、外部スイッチ３００を強制スイッチ１１８と同様に利用することが可能である。これは、バッテリー装置１００が設置される場所を考慮したものであり、バッテリー装置１００に備えられた強制スイッチ１１８が操作しづらい場合には、外部スイッチ３００から操作し易い場所へスイッチを延長できるようにしているものである。
【００３７】
また、外部スイッチ３００と強制スイッチ１１８を設けることにより、次のような運用も可能である。外部スイッチ３００が操作されたときには、バッテリーリレー１１６をＯＮ状態とした後に、制御回路１１５は、タイマー１１４のタイマー監視を起動し、所定時間監視することで、一定時間の給電を行う。制御回路１１５は、タイマー１１４からタイマー満了となったことを認識した場合、バッテリー部１１１からの電源供給を停止するために、バッテリーリレー１１６をＯＦＦ状態として電源の供給を停止する。
【００３８】
つまり、外部スイッチ３００が操作されたときには、一定時間の給電を再開し、強制スイッチ１１８が操作されたときには、全ての電力の給電を行う運用が可能となる。
【００３９】
なお、当然ではあるが、外部スイッチ３００がＯＮ状態となった場合でも、商用電圧監視回路１１２で内部ＡＣ／ＤＣコンバータ１１０側もしくは外部ＡＣ／ＤＣコンバータ側の何れかに、電圧の検出をしているときには、制御回路１１５はバッテリーリレー１１６をＯＮ状態とはしない。このときには、外部スイッチ３００が誤操作されたことを考慮して、バッテリー装置に誤操作を示すランプを設け、そのランプ情報（図示せず。）などを用いてアラームを表示するようにしても良い。
【００４０】
このように制御することで、バッテリー部１１１からの給電を一定時間で停止する運用が可能となり、バッテリー部１１１に充電されている電力を無駄に利用しなくてすむ。また、一定時間以上バッテリー部１１１からの給電が必要な場合には、強制スイッチ１１８をＯＮ状態に操作して運用すればよい。
【００４１】
次に、商用ＡＣ電源５００からの電力供給が再開した場合、制御回路１１５は、商用電圧監視回路１１２から外部ＡＣ／ＤＣコンバータ４００側もしくは、内部ＡＣ／ＤＣコンバータ１１０側の何れかの電圧を検出したことを認識すると、バッテリー電圧監視回路１１３とタイマー１１４の起動を停止し、外部ＡＣ／ＤＣコンバータ側の電圧を検出しているときには、バッテリーリレー１１６をＯＦＦ状態として外部装置２００への給電を再開する。
【００４２】
また、内部ＡＣ／ＤＣコンバータ１１０側のみで電圧を検出している場合には、上記したと同様にバッテリーリレー１１６はＯＮ状態のまま、内部ＡＣ／ＤＣコンバータから逆流防止ダイオード１１９を介して、外部装置２００への給電とバッテリー部１１１への充電を再開する。
【００４３】
次に、図２を用いて、本発明のバッテリー装置１００を用いた動作状態を説明する。
【００４４】
まず、図２の動作状態として、通常状態６００は、通常状態は商用ＡＣ電源５００からの給電が受けられる状態であり、そのときのバッテリーリレー１１６及び外部スイッチリレー１１７の状態は、それぞれＯＦＦ状態であることを示している。
【００４５】
次に、図２の動作状態として、外部ＡＣ／ＤＣコンバータ故障中６０１は、バッテリーリレー１１６がＯＮ状態であり、外部スイッチリレー１１７はＯＦＦ状態であることを示している。
【００４６】
次に、図２の動作状態として、バッテリー供給中商用ＡＣ電源断時６０２は、バッテリー部１１１からの給電状態つまり、商用ＡＣ電源からの給電が受けられない状態であり、バッテリーリレー１１６はＯＮ状態になり、タイマー設定時間経過後にＯＦＦとなることを示している。なお、強制スイッチ１１８がＯＮ状態に操作されている場合には、バッテリーリレー１１６はＯＮ状態のままとなることを示している。また、このときに外部スイッチリレーはＯＦＦ状態のままであることを示している。
【００４７】
次に、図２の動作状態として、外部スイッチＯＮ時６０３は、バッテリー部１１１からの給電状態つまり、商用ＡＣ電源からの給電が受けられない状態で、バッテリーリレー１１６がＯＮ状態からタイマー設定時間経過後にＯＦＦとなっている状態から操作された場合に、バッテリーリレー１１６はＯＦＦ状態からＯＮ状態となる。更に、タイマー設定時間経過を認識したときに、再度ＯＦＦ状態となることを示している。外部スイッチリレー１１７は、この動作と同様にＯＮ状態からＯＦＦ状態となることを示している。
【００４８】
次に、図３を用いて、本発明のバッテリー装置１００を用いたシステムの全体構成例を説明する。図３では、本発明のバッテリー装置１００を用いた二つのシステム構成例を示しており、それぞれ破線で示された利用形態、図３（ａ）及び、図３（ｂ）として示している。なお、図３で示される符号について、図１と同一の構成を示すものは、同一の符号を用いている。
【００４９】
まず、外部電源を１系統のみ使用するケースについて説明する。図３（ａ）は、バッテリー装置１００の１つの使用例が示されており、一般的な商用電源５００から直接バッテリー装置１００に接続され、バッテリー装置１００に外部ＡＣ／ＤＣコンバータを備えたコンセントが接続され、外部装置２００が接続された構成を示している。
【００５０】
なお、本実施例では、外部装置２００にバッテリーが内蔵された装置を適用している構成で示しているが、バッテリーが内蔵されていない装置に対して適用することも可能である。このように構成することで、バッテリーの残量をバッテリー装置側及び外部装置側の両方で残すバッテリー二重化システムの構築が容易にできるようになる。
【００５１】
次に、外部電源を２系統使用するケースについて説明する。図３（ｂ）は、バッテリー装置１００の上記図３（ａ）とは別の使用例が示されており、商用電源５００ｂからコネクタ１０１に直接バッテリー装置１００が接続されると共に、同様に商用電源５００ａが外部ＡＣ／ＤＣコンバータを介してコネクタ１０２に接続されている。
【００５２】
更に、バッテリー装置１００に外部装置２００が接続されている。このように構成することで、バッテリーの残量を残すシステムの構築が容易になるばかりか、外部ＡＣ／ＤＣコンバータを経由した電源経路と内部ＡＣ／ＤＣコンバータを経由した電源経路の二重化を容易に構築することができるようになる。
【００５３】
次に、図４を用いて、商用電源５００からの電力供給が受けられなくなった場合（例えば停電など。）のバッテリー装置１００の動作タイミングを説明する。図４では、Ｔ０からＴｎ方向へ矢印で示す時間が経過しているものとして説明する。図４で示す商用電源７００は、図１で示す商用ＡＣ電源５００からの電力供給であり、外部電源７０１若しくは内蔵電源７０２の何れかを介して電力供給を受ける。なお、外部電源７０１は商用電圧監視回路１１２で監視されている外部ＡＣ／ＤＣコンバータ４００側の電圧であり、内臓電源７０２は、商用電圧監視回路１１２で監視されている内部ＡＣ／ＤＣコンバータ１１０側の電圧である。
【００５４】
バッテリー装置７０３で示されているのは、図１で示すバッテリー部１１１からの給電状態である。外部電源７０４で示されているのは、図１で示す外部装置２００への電力の供給状況である。
【００５５】
図４の場合、商用ＡＣ電源５００に接続されているのは、外部ＡＣ／ＤＣコンバータ４００側のみで示しており、商用電源７００がＯＮ状態の場合、外部電源がＯＮ状態となる。内部ＡＣ／ＤＣコンバータ１１０側は、接続されていない状態でありＯＦＦ状態を示している。このときのバッテリー装置７０３からの給電は行われていないのでＯＦＦ状態であることを示しており、外部供給電源７０４は、商用電源７００から外部電源７０１を介して供給されているのでＯＮ状態であることを示している。
【００５６】
次に、商用電源５００から電源供給が受けられなくなった場合、当然の如く、外部ＡＣ／ＤＣコンバータ４００を介した外部電源からの電力供給及び、内部ＡＣ／ＤＣコンバータ１１０を介した内蔵電源からの電力供給が受けられなくなる。図４で示す、断発生７０５で示す状態となり、商用電源７００がＯＦＦ状態となり、当然のごとく外部電源７０１、内蔵電源７０２もＯＦＦ状態を検出する。
【００５７】
このときに、バッテリー装置７００では、外部電源７０１及び内蔵電源７０２のＯＦＦ状態を検出すると、瞬時にＯＮ状態に切替えを行い、バッテリー部１１１からの電力供給を実行する。外部装置２００への電力供給は継続されているので、外部供給電源７０４は７０７で示される通りＯＮ状態のままである。バッテリー部１１１からの電力供給は７０６で示される通り、タイマー１１４により時間管理されており、設定されている時間内電力供給を行い、所定時間経過後に外部装置２００への電力供給を停止する。電力供給が停止することによって、バッテリー装置７０３はＯＦＦ状態となり、外部供給電源７０４もＯＦＦ状態となる。
【００５８】
次に、図５を用いて、商用電源５００からの電力供給が受けられない状態で、外部スイッチ３００が操作された場合のバッテリー装置１００の動作を説明する。なお、図５の説明も図４と同様に、Ｔ０からＴｎ方向へ矢印で示す時間が経過しているものとして説明する。商用電源５００から電力供給が受けられない状態が長時間継続すると、上記の通り、タイマー１１４によってバッテリー部１１１からの電源供給が停止されている。
【００５９】
商用電源７００、外部電源７０１、内蔵電源７０２、バッテリー装置７０３、外部供給電源７０５それぞれは、全てＯＦＦ状態である。この状態から外部スイッチ３００が操作されると、図５の７０８で示すように外部スイッチ３００のＯＮ情報を検出する。すると、バッテリー部１１１からの電源供給が再開され、外部装置２００への電力供給が再開され、バッテリー装置７０４、外部供給電源７０５がＯＮ状態となる。
【００６０】
なお、図５では、バッテリー部１１１に蓄積される電力の残量全てを供給し続けるように説明しているが、先に述べたように、このときのバッテリー部１１１からの電力供給を行うときに、再度タイマー１１４を設定し、図４で示すタイマーで設定した時間内の電力供給７０６を実行して、電力供給時間を限定することも可能である。
【００６１】
また、外部電源７０１及び内蔵電源７０２のＯＦＦ状態を検出すると、瞬時にＯＮ状態に切替えを行い、バッテリー部１１１からの電力供給を実行したときに、設定されているタイマーの時間分、バッテリー部１１１に充電されている電力を残すことも可能である。この場合、外部装置２００で消費されている電力を時間と共に監視し、バッテリー電圧監視回路１１３で監視荒れているバッテリー部１１１の電圧と比較を行うことで、バッテリー部１１１の残電圧が特定の値になったことを検知したときにバッテリー部１１１からの電力供給を停止すればよい。
【００６２】
以上、本発明の実施例について詳述したが、本発明は、前記実施例に限定されるものではなく、本発明の要旨の範囲内で種々の変形実施が可能である。例えば、強制スイッチ１１８、外部スイッチ３００、タイマー１１４の動作条件として、本実施例では、強制スイッチ１１８、外部スイッチ３００、タイマー１１４の順で優先制御される構成で説明したが、この優先順位及び、外部スイッチ３００の運用方法、タイマー１１４の動作条件を、バッテリー装置１００にメモリを設けて設定可能とすることで、利用者の運用形態に柔軟に対応することが可能となる。
【００６３】
例えば、第１の動作条件として、強制スイッチ１１８と外部スイッチ３００が操作された場合には、バッテリー部１１１に充電された電力を全て使い切るまで電力供給を行う。第２の動作条件として、強制スイッチ１１８が操作された場合には、バッテリー部１１１に充電された電力を全て使い切るまで電力供給を行い、外部スイッチ３００が操作された場合には、タイマー１１４で設定されている時間のみバッテリー部１１１からの電力供給を行う。
【００６４】
第３の動作条件として、強制スイッチ１１８の動作条件は変わらないが、外部スイッチ３００が操作されたときには、タイマー1１４で設定されている一定時間、電力供給を繰り返すなどの動作条件としてもよい。また、当然の如く、強制スイッチ１１８と外部スイッチ３００の動作条件は逆のパターンでもよい。また、タイマー１１４で設定されている時間についても、電力を供給する時間若しくは、電力を残す時間として運用することも可能である。
【産業上の利用可能性】
【００６５】
本発明によれば、外部電源である商用ＡＣ電源５００からの電力供給を監視する商用電圧監視回路１１２と、内部ＡＣ／ＤＣコンバータ１１０と、バッテリー部１１１と、タイマー１１４と、バッテリー電圧監視回路１１３と、バッテリーへの切替えスイッチ１１６と、外部スイッチ３００と、強制スイッチ１１８とを備えたので、電源を必要とする電子機器において、電源の二重化及び、バッテリーによるバックアップ（動作保障）、緊急時の必要性に応じたバッテリーによるバックアップを実現することができる。よって、本発明は、バッテリーを備えていない電子機器、バッテリーを備えている電子機器の何れの場合でも電源の二重化及びバッテリーによるバックアップ（動作保障）技術等に適用できる。
【符号の説明】
【００６６】
１００  バッテリー装置
１０１  コネクタ（第１の外部電源接続手段）
１０２  コネクタ（第２の外部電源接続手段）
１０３  コネクタ（外部装置接続手段）
１１０  内部ＡＣ／ＤＣコンバータ
１１１  バッテリー部（蓄電手段）
１１２  商用電源監視回路（第１の電圧監視手段）
１１３  バッテリー電圧監視回路（第２の電圧監視手段）
１１４  タイマー
１１５  制御回路（制御手段）
１１６  バッテリーリレー
１１７  外部スイッチ用リレー
１１８  強制スイッチ
１１９  逆流防止ダイオード
２００  外部機器
３００  電源供給スイッチ
４００  外部ＡＣ／ＤＣコンバータ
５００  商用ＡＣ電源
６００  外部バッテリー
【図１】
2010193540.tif 000003
【図２】
2010193540.tif 000004
【図３】
2010193540.tif 000005
【図４】
2010193540.tif 000006
【図５】
2010193540.tif 000007